(57)【要約】      （修正有）【課題】様々な使用方法を提供できるシェイプアップバランサーを提供する。【解決手段】底面の中央に２つ以上の挿設孔１２を有する柱体ベース１３が設けられると共に、底面の周縁に所定の間隔を置いて、柱体ベースにおける挿設孔のサイズとほぼ等しい２つ以上の収容ケース１４が設けられるベース板１０と、前記挿設孔と同数の柱部材２１と、から成り、各柱部材がそれぞれ、対応する柱体ベースの挿設孔内に嵌め込まれる柱体２０と、を有することを特徴とする。【選択図】図２
0003109682.tif 000002
【実用新案登録請求の範囲】
【請求項１】
底面の中央に２つ以上の挿設孔（１２）を有する柱体ベース（１３）が設けられると共に、底面の周縁に所定の間隔を置いて、柱体ベース（１３）における挿設孔（１２）のサイズとほぼ等しい２つ以上の収容ケース（１４）が設けられるベース板（１０）と、
前記挿設孔（１２）と同数の柱部材（２１）と、から成り、
各柱部材（２１）がそれぞれ、対応する柱体ベース（１３）の挿設孔（１２）内に嵌め込まれる柱体（２０）と、を有することを特徴とするシェイプアップバランサー。
【請求項２】
前記ベース板（１０）の上面中央に活動部（１１）が設けられ、該活動部（１１）の両側にそれぞれハンドル（１５）が設けられ、
前記ベース板（１０）における柱体ベース（１３）は円柱状を成し、その中の各挿設孔（１２）はそれぞれ円柱状の柱体ベース（１３）を等しく四分割した扇形を成すと共に、前記柱体（２０）はそれぞれ円柱状の柱体（２０）を等しく四分割した扇形を成す４つの等しい柱部材（２１）から成り、該各柱部材（２１）における、ベース板（１０）と反対する側に円弧状の封止カバー（２２）が設けられ、
前記ベース板（１０）の底面の周縁に所定の間隔を置いて設けられる収容ケース（１４）は、それぞれ円柱を四分割した扇形を成すと共に、該各収容ケース（１４）はそれぞれ、等しい二辺が接して成す角がベース板（１０）の四つ角側を向くように設けられることを特徴とする請求項１に記載のシェイプアップバランサー。
【請求項３】
前記柱体ベース（１３）における各挿設孔（１２）の壁面にそれぞれ掛止孔（１２２）が形成されると共に、該各挿設孔（１２）内に嵌め込まれる柱部材（２１）における、掛止孔（１２２）と対応する位置にフック部材（２３）が設けられ、
前記各収容ケース（１４）の壁面に掛止孔（１４２）が形成されると共に、該各掛止孔（１４２）に嵌め込まれる柱部材（２１）における、掛止孔（１４２）と対応する位置にフック部材（２３）が設けられることを特徴とする請求項１又は２に記載のシェイプアップバランサー。
【考案の詳細な説明】
【技術分野】
【０００１】
本考案は、特に様々な使用方法を提供できるシェイプアップバランサーに関するものである。
【背景技術】
【０００２】
一般のシェイプアップバランサーの殆どは、身体の一部の部位に対して鍛練を行うものであり、複数の部位を鍛練できる多機能のシェイプアップバランサーは非常に少ないのが現状である。
【考案の開示】
【考案が解決しようとする課題】
【０００３】
上述したように、従来のシェイプアップバランサーでは、身体の一部の部位しか鍛えることができなく、若し複数の部位を鍛えたい場合には、シェイプアップバランサー以外に数種類の運動器具を購入する必要があるので、使用上非常に不便であると共に、コストの面でも大変であった。
【課題を解決するための手段】
【０００４】
本願の第１の考案では、底面の中央に２つ以上の挿設孔（１２）を有する柱体ベース（１３）が設けられると共に、底面の周縁に所定の間隔を置いて、柱体ベース（１３）における挿設孔（１２）のサイズとほぼ等しい２つ以上の収容ケース（１４）が設けられるベース板（１０）と、前記挿設孔（１２）と同数の柱部材（２１）と、から成り、各柱部材（２１）がそれぞれ、対応する柱体ベース（１３）の挿設孔（１２）内に嵌め込まれる柱体（２０）と、を有することを特徴とするシェイプアップバランサー、を提供する。
【０００５】
本願の第２の考案では、前記ベース板（１０）の上面中央に活動部（１１）が設けられ、該活動部（１１）の両側にそれぞれハンドル（１５）が設けられ、前記ベース板（１０）における柱体ベース（１３）は円柱状を成し、その中の各挿設孔（１２）はそれぞれ円柱状の柱体ベース（１３）を等しく四分割した扇形を成すと共に、前記柱体（２０）はそれぞれ円柱状の柱体（２０）を等しく四分割した扇形を成す４つの等しい柱部材（２１）から成り、該各柱部材（２１）における、ベース板（１０）と反対する側に円弧状の封止カバー（２２）が設けられ、前記ベース板（１０）の底面の周縁に所定の間隔を置いて設けられる収容ケース（１４）は、それぞれ円柱を四分割した扇形を成すと共に、該各収容ケース（１４）はそれぞれ、等しい二辺が接して成す角がベース板（１０）の四つ角側を向くように設けられることを特徴とする第１の考案のシェイプアップバランサー、を提供する。
【０００６】
本願の第３の考案では、前記柱体ベース（１３）における各挿設孔（１２）の壁面にそれぞれ掛止孔（１２２）が形成されると共に、該各挿設孔（１２）内に嵌め込まれる柱部材（２１）における、掛止孔（１２２）と対応する位置にフック部材（２３）が設けられ、前記各収容ケース（１４）の壁面に掛止孔（１４２）が形成されると共に、該各掛止孔（１４２）に嵌め込まれる柱部材（２１）における、掛止孔（１４２）と対応する位置にフック部材（２３）が設けられることを特徴とする第１又は２の考案のシェイプアップバランサー、を提供する。
【考案の効果】
【０００７】
本考案は上記の課題を解決するものであり、底面の中央に２つ以上の挿設孔を有する柱体ベースが設けられると共に、底面の周縁に所定の間隔を置いて、柱体ベースにおける挿設孔のサイズとほぼ等しい２つ以上の収容ケースが設けられるベース板と、前記挿設孔と同数の柱部材と、から成り、各柱部材がそれぞれ、対応する柱体ベースの挿設孔内に嵌め込まれる柱体と、を有するので、使用目的に応じて柱体をベース板における異なる個所（例えば、柱体ベース或いは収容ケース）に設置して使用することができる。故に、本考案を用いれば、従来のようにシェイプアップバランサー以外に数種類の運動器具を購入する必要もないので、使用利便性が高いと共に、コストもそれほど必要としない。
【考案を実施するための最良の形態】
【０００８】
以下、添付図面を参照して本考案の好適な実施の形態を詳細に説明する。
【実施例】
【０００９】
図１は本考案に係るシェイプアップバランサーの斜視図であり、図２は本考案に係るシェイプアップバランサーの分解斜視図であり、図３は本考案に係るシェイプアップバランサーの第１使用状態を示す斜視図であり、図４は本考案に係るシェイプアップバランサーの第２使用状態を示す正面図であり、図５は本考案に係るシェイプアップバランサーの第３使用状態を示す正面図であり、図６は本考案に係るシェイプアップバランサーの第４使用状態を示す側面図であり、図７は本考案に係るシェイプアップバランサーの第５使用状態を示す側面図であり、図８は本考案に係るシェイプアップバランサーの第６使用状態を示す側面図であり、図９は本考案に係るシェイプアップバランサーの第７使用状態を示す正面図である。
【００１０】
図１及び図２に示すように、本考案のシェイプアップバランサーは、多辺形、好ましくは四辺形且つ流線形のベース板（１０）を有し、該ベース板（１０）の左右側縁にそれぞれ複数の貫設孔（１６）が穿設されると共に、四つ角付近にそれぞれベース板（１０）の上部からハンドル（１５）を固定するための貫通孔（符号なし）が形成され、該ハンドル（１５）は、ベース板（１０）の底部からネジ（符号なし）により固定される。更に、前記２つのハンドル（１５）の間に活動部（１１）が設けられ、該活動部（１１）上面に複数の滑り止め且つ装飾用の滑り止め凸部（１１１）が設けられると共に、該活動部（１１）の前部に二つの貫通孔（１７）が形成され、該各貫通孔（１７）と、それぞれが隣接する貫通孔との距離は、ハンドル（１５）の長さと等しい設計となっている。
【００１１】
前記ベース板（１０）の底面に支持強度を高めるための複数の交差状のリブ部材（符号なし）が設けられ、それらリブ部材の一端はそれぞれ収容ケース（１４）に連結される。また、ベース板（１０）の底面中央に柱体ベース（１３）が設けられ、該柱体ベース（１３）は円柱状を成すことが好ましい。更に、前記柱体ベース（１３）は、等しく分割された２つ以上（好ましくは、４つ）の挿設孔（１２）を有し、該各挿設孔（１２）の内壁面にそれぞれ複数のリブ（１２１）が設けられると共に、ベース板（１０）と接する位置付近に掛止孔（１２２）が形成される。更に、前記各挿設孔（１２）の形状及びサイズはそれぞれ、各収容ケース（１４）とほぼ等しく、該各収容ケース（１４）はそれぞれ、等しい二辺が成す角がベース板（１０）の四つ角側を向くように設けられ、各収容ケース（１４）における、ベース板（１０）と接する位置付近に掛止孔（１４２）が形成されると共に、内壁面には複数のリブ（１４１）が形成される。
【００１２】
本考案の好ましい実施形態によれば、柱体（２０）は、対応する柱体ベース（１３）の挿設孔（１２）内に着脱可能な柱部材（２１）から構成され、該柱体（２０）における、地面と接触する底面は円弧状を呈し、各柱部材（２１）における、ベース板（１０）と反対する側に円弧状の封止カバー（２２）が設けられ、各柱部材（２１）における、挿設孔（１２）と結合する外壁面に、挿設孔（１２）の掛止孔（１２２）と対応するフック部材（２３）が設けられると共に、各柱部材（２１）の下端に封止カバー（２２）と掛合する掛止部材（２４）が設けられる。更に、前記各挿設孔（１２）の内部におけるリブ（１２１）及び前記各収容ケース（１４）の内部におけるリブ（１４１）は共に、柱部材（２１）を締付け固定するものである。
【００１３】
また、本考案のシェイプアップバランサーは、異なる使用方法として、例えば、高さが前記柱体（２０）よりも高く、且つ２層状に構成されると共に、１つの外壁面における、収容ケース（１４）の掛止孔（１４２）と対応する位置にフック部材（３１）が設けられ、底面に封止カバー（２２）が設けられるクッションブロック（３０）を、前記４つの収容ケース（１４）それぞれに嵌め込んで使用することもできる。
【００１４】
更に、腕部を鍛えたい時は、弾性ロープ（４２）と、該弾性ロープ（４２）の上端に設けられるグリップ部（４３）と、該弾性ロープ（４２）の下端に設けられるヘッド部（４１）とから成るロープ部材（４０）を、ベース板（１０）の両側における貫通孔（１６）にそれぞれ貫設することにより、該ロープ部材（４０）を固定し、この時、ヘッド部（４１）は貫通孔（１６）に掛止されている。これにより、使用者はグリップ部（４３）を握持してロープ部材（４０）を上方へ引っ張る、腕部の運動を行うことができる。
【００１５】
更に、前記ベース板（１０）の底面における柱体ベース（１３）の周囲に所定の間隔をおいて、等しい二辺が成す角が柱体ベース（１３）の方向を向くように、４つの扇形ケース（１８）が設けられると共に、該各扇形ケース（１８）内にそれぞれ扇形ブロック（５０）が嵌め込まれ、また、前記各ロープ部材（４０）のサイズは、柱体ベース（１３）内に嵌め込まれる柱部材（２１）とほぼ等しい形状となっている。
【００１６】
図３及び図４に示すように、本考案の第１、第２実施例では、柱体（２０）の各柱部材（２１）がそれぞれ柱体ベース（１３）に嵌め込まれる時、ベース板（１０）の底面における各収容ケース（１４）には、クッションブロック（３０）は嵌め込まれないので、使用者は、シェイプアップバランサーの上面に乗ってベース板（１０）を左右方向へ回転させたり、或いは上下方向へ揺動させることにより平衡感覚の訓練を行うことができる。
【００１７】
図５に示すように、本考案の第３実施例では、弾性ロープ（４２）と、該弾性ロープ（４２）の上端に設けられるグリップ部（４３）と、該弾性ロープ（４２）の下端に設けられるヘッド部（４１）とから成るロープ部材（４０）を、前記ベース板（１０）における活動部（１１）の両側縁における複数の貫設孔（１６）に掛止し、柱体（２０）の各柱部材（２１）をそれぞれ各収容ケース（１４）に嵌め込む。これにより、使用者は、シェイプアップバランサーの上面に乗ってグリップ部（４３）を握持してロープ部材（４０）を上方へ引っ張る、腕部の運動を行うことができる。
【００１８】
図６に示すように、本考案の第４実施例では、前記図５の第３実施例の形態からローブ部材（４０）を取外した後、ベース板（１０）の底部における各収容ケース（１４）内にそれぞれ、支持用の柱部材（２１）を嵌め込むことにより、使用者は、本考案のシェイプアップバランサーの上面に座り、腹筋の運動をすることができると共に、図７の第５実施例では、このままの形態でベース板（１０）の両側のハンドル（１５）を握持すれば、手のひらとつま先でうつ伏せに身体を支え、両腕で屈伸する運動である、腕立て伏せをすることができ、更には、場合に応じて、リズム体操用としても用いることができる。
【００１９】
図８に示すように、本考案の第６実施例では、ベース板（１０）における、一側の隣合う二つの収容ケース（１４）内にそれぞれクッションブロック（３０）を嵌め込み、シェイプアップバランサーを傾斜状にし、更に、両側のハンドル（１５）の上側のネジを緩めると共に、下方のネジを外してハンドル（１５）の下側を移動可能とし、それらをそれぞれ貫通孔（１７）に固定し、ベース板（１０）上において一直線の状態となるようにする。そして、脚部を滑り止め用として用いたハンドルの上側へ乗せて、傾斜状のシェイプアップバランサー上に乗ることにより、脚部の筋力トレーニングをすることができる。
【００２０】
図９に示すように、本考案の第７実施例では、底面が円弧状の扇形ブロック（５０）を任意の二つの扇形ケース（１８）内に嵌め込むことにより、シェイプアップバランサーは、扇形ブロック（５０）を支点として揺動するので、使用者は、シェイプアップバランサー上において、自分に合った平衡感覚の訓練を行うことができる。
【００２１】
上述したように、本考案のシェイプアップバランサーは、平衡感覚の訓練の他にも、腹筋や腕立て伏せなどの運動も行うことができるので、実用性が優れている。
【００２２】
尚、上述した実施形態は単に本考案の一部の形態であり、本明細書に示す主張の範囲内であれば如何なる形態に構成させてもよく、また、容易に想到し得る範囲内であれば、当然本考案の主張範囲に属することは言うまでもない。
【図面の簡単な説明】
【００２３】
【図１】本考案に係るシェイプアップバランサーの斜視図である。
【図２】本考案に係るシェイプアップバランサーの分解斜視図である。
【図３】本考案に係るシェイプアップバランサーの第１使用状態を示す斜視図である。
【図４】本考案に係るシェイプアップバランサーの第２使用状態を示す正面図である。
【図５】本考案に係るシェイプアップバランサーの第３使用状態を示す正面図である。
【図６】本考案に係るシェイプアップバランサーの第４使用状態を示す側面図である。
【図７】本考案に係るシェイプアップバランサーの第５使用状態を示す側面図である。
【図８】本考案に係るシェイプアップバランサーの第６使用状態を示す側面図である。
【図９】本考案に係るシェイプアップバランサーの第７使用状態を示す正面図である。
【符号の説明】
【００２４】
１０        ベース板
１１        活動部
１１１      滑り止め凸部
１２        挿設孔
１２１      リブ
１２２      掛止孔
１３        柱体ベース
１４        収容ケース
１４１      リブ
１４２      掛止孔
１５        ハンドル
１６        貫設孔
１７        孔
１８        扇形ケース
２０        柱体
２１        柱部材
２２        封止カバー
２３        フック部材
２４        掛止部材
３０        クッションブロック
３１        フック部材
３２        蓋部材
４０        ロープ部材
４１        ヘッド部
４２        弾性ロープ
４３        グリップ部
５０        扇形ブロック
【図１】
0003109682.tif 000003
【図２】
0003109682.tif 000004
【図３】
0003109682.tif 000005
【図４】
0003109682.tif 000006
【図５】
0003109682.tif 000007
【図６】
0003109682.tif 000008
【図７】
0003109682.tif 000009
【図８】
0003109682.tif 000010
【図９】
0003109682.tif 000011